(57)【要約】      （修正有）【課題】ユーザによって容易に差し替え可能な留め具システムを有する履き物の提供。【解決手段】留め具システムは、好ましくは、面ファスナー２２ａを通じて靴に固定されるストラップ１０を含む。ストラップ１０は、交換可能であり、種々の色、デザイン、ロゴを含むことができる。履き物は、複数のストラップ１０を含むことができる。【選択図】図３Ｂ
2018183613.tif 000002
【特許請求の範囲】
【請求項１】
外底と、
上部の表面に装着される少なくとも１つのリングを有する、前記外底に装着される、上部と、
前記リングに挿入可能な着脱可能なストラップであって、前記ストラップの一方の端部は、前記リングに対して装着可能であり、前記ストラップの別の端部は、前記上部に固定可能である、着脱可能なストラップと、を備える、一種の履き物。
【請求項２】
前記ストラップは、静的材料で構成される、請求項１に記載の一種の履き物。
【請求項３】
前記ストラップは、動的材料で構成される、請求項１に記載の一種の履き物。
【請求項４】
前記ストラップの前記材料の２つの層の間に位置付けられるストラップアンカーをさらに備え、前記アンカーの寸法は、前記ストラップが前記リングを完全に通り抜けないように妨げるのに十分である、請求項１に記載の一種の履き物。
【請求項５】
少なくとも２つの着脱可能なストラップおよび２つのリングをさらに備える、請求項１に記載の一種の履き物。
【請求項６】
一種の履き物の上部の表面に装着される、少なくとも１つのリングと、
前記少なくとも１つのリングのそれぞれに挿入可能な着脱可能なストラップであって、前記ストラップの一方の端部は、前記リングに対して装着可能であり、前記ストラップの別の端部は、前記上部に固定可能である、着脱可能なストラップと、を備える、履き物留め具システム。
【請求項７】
前記ストラップは、静的材料で構成される、請求項６に記載の履き物留め具システム。
【請求項８】
前記ストラップは、動的材料で構成される、請求項６に記載の履き物留め具システム。
【請求項９】
前記ストラップの前記材料の２つの層の間に位置付けられるストラップアンカーをさらに備え、前記アンカーの寸法は、前記ストラップが前記リングを完全に通り抜けないように妨げるのに十分である、請求項６に記載の履き物留め具システム。
【請求項１０】
少なくとも２つの着脱可能なストラップおよび２つのリングをさらに備える、請求項１に記載の履き物留め具システム。
【発明の詳細な説明】
【技術分野】
【０００１】
［関連出願］
本出願は、２０１２年５月３１日に出願された米国仮特許出願第６１／６５３４１３号の優先権を主張するものであり、参照によりその全体が本明細書に組み込まれる。
【背景技術】
【０００２】
履き物、特に、子供の履き物は、様々な色およびスタイルがある。スタイルおよび好みは絶えず変化しているため、あらゆる人にとって複数の対の靴を所有することは珍しいことではない。子供の履き物の場合、子供が成長して靴を履けなくなることが多いため、靴を履き古す前にそれらを履けなくなるので、子供のために異なるスタイルの複数の対の靴を買うことは、かなり高価となり得る。さらに、子供および親は、購入する靴のスタイルに関して一致しないことが多い。カスタマイズ製品に対する需要は増大しているが、従来の履き物製造技術は、長いリードタイムを必要とする。そのような長いリードタイムは、履き物の即時のカスタマイズの可能性を排除するだけでなく、典型的な製造工程は、顧客にカスタマイズ製品が配達されるまで数週間待つことを要求する。
【発明の概要】
【発明が解決しようとする課題】
【０００３】
従って、本発明の目的は、ユーザが外観を代替することができるデザインの履き物を提供することである。
【課題を解決するための手段】
【０００４】
従って、ユーザによって容易に差し替え可能な留め具システムを有する履き物が提供される。留め具システムは、好ましくは、面ファスナーを通じて靴に固定されるストラップの一方の端部およびロップおよびアンビルの組み合わせを通じて靴に固定される他方の端部を有するストラップを含む。ストラップは、交換可能であり、種々の色、デザイン、ロゴを含むことができる。
【０００５】
本発明のこれらのおよび他の目的および特徴は、複数の図面を通じて対応する符号は対応する部分を指す、添付の図面を考慮して読まれるべきである、以下の発明を実施するための形態からより十分に理解される。
【図面の簡単な説明】
【０００６】
【図１Ａ】本発明の留め具システムに用いられる静的交換可能ストラップの上部平面図である。
【図１Ｂ】本発明の留め具システムに用いられる動的交換可能ストラップの上部平面図である。
【図２Ａ】図１Ａに示されるストラップの側部平面図である。
【図２Ｂ】図１Ｂに示されるストラップの側部平面図である。
【図３Ａ】図１Ａに示されるストラップの底部平面図である。
【図３Ｂ】図１Ｂに示されるストラップの底部平面図である。
【図４】本発明の留め具システムに用いられる好ましいＤ字型リングの上部平面図である。
【図５】図４に示されるＤ字型リングの側面図である。
【図６】本発明の留め具システムに用いられる交換可能ストラップアンカーの上部平面図である。
【図７】図６に示されるストラップアンカーの側面図である。
【図８】図４に示される種類のＤ字型リングの取り付け機構を有する靴の斜視図である。
【図９】靴に挿入される図４に示される種類のＤ字型リングを有する靴の斜視図である。
【図１０】図４のＤ字型リングを通じて挿入されている図１Ａに示されるストラップを有する靴の斜視図である。
【図１１】靴に固定されている図１Ａに示されるストラップを有する靴の斜視図である。
【図１２】靴に固定されている図１Ｂに示されるストラップを有する靴の斜視図である。
【発明を実施するための形態】
【０００７】
図１Ａ、２Ａ、および３Ａは、履き物に適切な任意の静的材料（すなわち、伸縮することができない材料）がダンベル形のアンカー１４（図６参照）のコア１２に巻き付けられる、静的交換可能ストラップ１０の複数の図を示す。ストラップ１０の巻き付けられる材料は、アンカーノブ１２と同一平面にあるべきである（すなわち、縁と一致すべきである）。ノブ１２の全径ならびにアンカー１４に巻き付けられるストラップ１０の部分１１は、履き物のための典型的なストラップ留め具に印加される典型的な力に対して確実なアンカーを提供するように、Ｄ字型リング１６の内寸より大きい。いくつかの実施形態において、Ｄ字型リングのノブ１２のみが、Ｄ字型リングの高さより大きい直径を有する。交換可能ストラップ１０の先端１８は、典型的な面ファスナー２２ａ，２２ｂによって、靴２０の反対側に固定される。
【０００８】
図１Ｂ、２Ｂ、および３Ｂは、ストラップ１０の代替的な実施形態を示す。この実施形態において、ストラップ１０は、前述と同じ方法で固定されるが、しかしながら、ストラップ１０は、靴をより容易に着脱することが可能なように、動的特性（すなわち、弾性）を有する材料から構成される。この実施形態において、面ファスナー２２ａ，２２ｂの典型的なループ部分２２ａの占有領域は、最大幅の動的伸張を可能とするように、（図１Ａ、２Ａ、および３Ａに示されるストラップと比べて）ストラップ１０の裏面で低減される。
【０００９】
ストラップ１０は、異なる材料、色、プリント、機能（静的対動的）等の異なる特性を有するストラップ１０を互いに取り替えることを可能とするように、交換可能である。
【００１０】
図４および図５は、好ましいＤ字型リング１６を示す。Ｄ字型リング１６は、複数の材料から作られ得、様々な形およびサイズであり得るが、好ましい材料は、角丸矩形の形の金属である。また、Ｄ字型リング１６は、複数の方法で靴２０に固定され得る。Ｄ字型リング１６を靴２０に固定する好ましい方法は、靴２０の上部部分の穿孔２８（図８参照）を通じて端部２６に挿入し、最適な耐久性のために、さらなる耐引裂性材料３０を有する上部材料の裏面に端部２６を固定することである。
【００１１】
ストラップアンカー１４の実施形態が図６および７に示される。アンカー１４は、金属またはプラスチック等の複数の材料から作られ得、アンカーは、様々な形およびサイズであることができる。好ましい材料は、ノブ１２の直径がＤ字型リング１６の内径３２より大きい、ダンベルの形の熱可塑性ポリウレタンである。
【００１２】
図９は、交換可能ストラップ１０が取り付けられない靴２０の上部部分に固定されるＤ字型リング１６を示す。
【００１３】
図１０は、好ましいＤ字型リング１６との、交換可能ストラップ１０の最初の係合を示す。交換可能ストラップ１０の先端１８は、Ｄ字型リング１６の下向き面を通じて挿入され、より大きな寸法のアンカー１４がＤ字型リング１６の開口部のより小さな内寸を通過できないことによって、さらなる係合が妨げられるまで、Ｄ字型リング１６の開口部を通じてＤ字型リング１６の上向き面から引き出される。
【００１４】
図１１および１２は、完全に係合された交換可能ストラップ１０を示す。交換可能ストラップ１０の先端１８は、典型的な面ファスナーによって靴２０の反対側に固定される。
【００１５】
交換可能ストラップ１０の取り外しは、逆順に従う。この場合において、面ファスナー２２ａ，２２ｂは、典型的な様式で靴２０から外される。次に、アンカー１２は、交換可能ストラップ１０がＤ字型リング１６から取り除かれ、靴１０から完全に取り外されるまで、Ｄ字型リング１６の開口部から引き出される。
【００１６】
上述の発明は、その好ましい実施形態を参照して説明されているが、当業者には、種々の変形および修正が想起される。全てのかかる変形および修正は、添付の特許請求の範囲内に入るよう意図される。
【図１Ａ】
2018183613.tif 000003
【図１Ｂ】
2018183613.tif 000004
【図２Ａ】
2018183613.tif 000005
【図２Ｂ】
2018183613.tif 000006
【図３Ａ】
2018183613.tif 000007
【図３Ｂ】
2018183613.tif 000008
【図４】
2018183613.tif 000009
【図５】
2018183613.tif 000010
【図６】
2018183613.tif 000011
【図７】
2018183613.tif 000012
【図８】
2018183613.tif 000013
【図９】
2018183613.tif 000014
【図１０】
2018183613.tif 000015
【図１１】
2018183613.tif 000016
【図１２】
2018183613.tif 000017
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
外底と、
２つのフラップを有し、前記外底に装着される上部であって、前記２つのフラップは、前記上部の第１側部に含まれる、前記２つのフラップのうちの第１フラップと、前記上部の第２側部に含まれる、前記２つのフラップのうちの第２フラップとを有し、前記第１フラップは外面を有し、且つ、前記第２フラップは外面を有する、上部と、
前記上部の前記第１フラップの外面に装着される少なくとも１つのリングであって、前記少なくとも１つのリング及び前記少なくとも１つのリングの開口部が前記上部の前記第１フラップの外面の上方で延在し、前記開口部は、前記第１フラップの外面からその離隔方向へと延在する、少なくとも１つのリングと、
前記少なくとも１つのリングに挿入可能であり、前記上部から着脱可能なストラップと、を備え、
前記ストラップが前記少なくとも１つのリングに挿入されたときに前記ストラップの全てが前記上部の２つのフラップの外面の上に位置し、前記ストラップは、面ファスナーの第１接着部分の接着片を含み、前記ストラップは、前記少なくとも１つのリングに挿入されており、前記一種の履き物が締められた状態にあるとき、前記ストラップの第１端部が前記少なくとも１つのリングと隣接するとともに前記少なくとも１つのリングに対して固定され、前記ストラップの前記第１端部は、前記ストラップの前記第１端部が前記少なくとも１つのリングを通り抜けることを妨げる寸法を有し、前記ストラップの第２端部は、前記上部の前記第２フラップの外面上に直接的に取り付けられた前記面ファスナーの第２接着部分の片に固定され、前記ストラップの前記第１端部は、前記面ファスナーの前記第２接着部分から最も離れた前記少なくとも１つのリングの側部上で前記少なくともつのリングに対して固定されることを特徴とする一種の履き物。
【請求項２】
前記ストラップは、静的材料で構成される、請求項１に記載の一種の履き物。
【請求項３】
前記ストラップは、動的材料で構成される、請求項１に記載の一種の履き物。
【請求項４】
前記ストラップの前記材料の２つの層の間に位置付けられるストラップアンカーをさらに備え、前記アンカーは、前記ストラップの一部を前記ストラップの別の部分の上に折り畳むことによって形成され、前記ストラップアンカーは、該ストラップアンカーの２つの端部の各々に配置されたノブを有するダンベル形状を有し、前記ノブの各々は、前記ストラップアンカーが前記少なくとも１つのリングを完全に通り抜けることを妨げるように前記開口部よりも大きい径を有する、請求項１に記載の一種の履き物。
【請求項５】
第２の着脱可能なストラップをさらに備え、前記少なくとも１つのリングが第２のリングを含む、請求項１に記載の一種の履き物。
【請求項６】
一種の履き物の上部の第１側部の第１フラップの外面に装着される少なくとも１つのリングであって、前記少なくとも１つのリング及び前記少なくとも１つのリングの開口部が前記上部の前記第１フラップの外面の上方で延在し、前記開口部は、前記第１フラップの外面からその離隔方向へと延在する、少なくとも１つのリングと、
外面を有する第２フラップと、
前記少なくとも１つのリングの各々に挿入可能であり、前記上部から完全に着脱可能なストラップと、を備え、
前記ストラップが前記少なくとも１つのリングに挿入されたときに前記ストラップの全てが前記第１フラップの外面の上及び前記第２フラップの外面の上に位置し、前記ストラップは、面ファスナーの第１接着部分の接着片を含み、前記ストラップは、前記一種の履き物において、前記少なくとも１つのリングに挿入されており、前記一種の履き物が締められた状態にあるとき、前記ストラップの第１端部が前記少なくとも１つのリングと隣接するとともに前記少なくとも１つのリングに対して固定され、前記ストラップの前記第１端部は、前記ストラップの前記第１端部が前記少なくとも１つのリングを通り抜けることを妨げる寸法を有し、前記ストラップの第２端部は、前記上部の第２側部上の前記第２フラップの外面上に直接的に取り付けられた前記面ファスナーの第２接着部分の片に固定され、前記ストラップの前記第１端部は、前記面ファスナーの前記第２接着部分から最も離れた前記少なくとも１つのリングの側部上で前記少なくとも１つのリングに対して固定されることを特徴とする履き物留め具システム。
【請求項７】
前記ストラップは、静的材料で構成される、請求項６に記載の履き物留め具システム。
【請求項８】
前記ストラップは、動的材料で構成される、請求項６に記載の履き物留め具システム。
【請求項９】
前記ストラップの前記材料の２つの層の間に位置付けられるストラップアンカーをさらに備え、前記アンカーは、前記ストラップの一部を前記ストラップの別の部分の上に折り畳むことによって形成され、前記ストラップアンカーは、該ストラップアンカーの２つの端部の各々に配置されたノブを有するダンベル形状を有し、前記ノブの各々は、前記ストラップアンカーが前記少なくとも１つのリングを完全に通り抜けることを妨げるように前記開口部よりも大きい径を有する、請求項６に記載の履き物留め具システム。
【請求項１０】
第２の着脱可能なストラップをさらに備え、前記少なくとも１つのリングが第２のリングを含む、請求項６に記載の履き物留め具システム。
【請求項１１】
一種の履き物の上部の第１側部の第１フラップの外面に装着される少なくとも１つのリングであって、前記少なくとも１つのリング及び前記少なくとも１つのリングの開口部が前記上部の前記第１フラップの外面の上方で延在し、前記開口部は、前記第１フラップの外面からその離隔方向へと延在する、少なくとも１つのリングと、
２つの端部を有するダンベル形のストラップアンカーであって、前記ストラップアンカーの２つの端部の各々にノブを有する、ストラップアンカーと、
前記少なくとも１つのリングの各々に挿入可能であり、前記上部から完全に着脱可能なストラップと、を備え、
前記ストラップが前記少なくとも１つのリングに挿入されたときに前記ストラップの全てが前記上部の外面の上に位置し、前記ストラップの第１端部は、前記ストラップの別の部分の上に折り畳まれた前記ストラップの一部を有する前記ストラップアンカーの周囲に位置し、前記ストラップは、前記ノブの間に位置し、前記ストラップは、前記一種の履き物において、前記少なくとも１つのリングに挿入されており、前記一種の履き物が締められた状態にあるとき、前記ストラップの第１端部が前記少なくとも１つのリングと隣接し、前記ストラップの第２端部は、前記上部の第２側部上の第２フラップの外面上に直接的に取り付けられた第２ファスナー要素に直接的に固定可能である第１ファスナー要素を含み、前記ストラップの前記第１端部は、前記第２フラップから最も離れた前記少なくとも１つのリングの側部上で前記少なくとも１つのリングに対して固定されることを特徴とする履き物留め具システム。
【請求項１２】
前記ストラップは、静的材料で構成される、請求項１１に記載の履き物留め具システム。
【請求項１３】
前記ストラップは、動的材料で構成される、請求項１１に記載の履き物留め具システム。
【請求項１４】
第２の着脱可能なストラップをさらに備え、前記少なくとも１つのリングが第２のリングを含む、請求項１１に記載の履き物留め具システム。
【外国語明細書】
2018183613000001.pdf